(57)【要約】      （修正有）【課題】よどみ水を少なくし、浴槽の壁面や排水口等のカビや細菌の発生を軽減し、浴槽水を効率よく新鮮にし、更に、風呂の清掃の手間を軽減し、天候の影響が少ない風呂の乾燥手段を備えた浴槽清掃機能付き風呂を提供する。【解決手段】媒体発生部１ｇ（湯水）が供給された量だけ排水されるかけ流し風呂に於いて発生するよどみ水１ｊをよどみ水排水口１ｘで排水すると浴槽水１ｉは媒体発生部１ｇ（湯水）と入れ替わり浴槽水１ｉは効率良く新鮮になる。浴槽１ｏに浴槽蓋１ｋを被せて媒体発生部１ｇ（水蒸気、乾燥空気）を媒体入口１ｄから供給すると媒体発生部１ｇ（湯水）と同じ経路で流れ、浴槽１ｏの壁面や排出口等のカビや細菌の発生を抑制する。【選択図】図１
2019054950.tif 000002
【特許請求の範囲】
【請求項１】
媒体である湯水と水蒸気と乾燥空気を発生し、発生する媒体を選択し、発生する媒体の量を増減し、媒体発生部（１ａ）に取り付けられた媒体出口１（１ｂ）から媒体を排出し、かつ、排出と停止を制御する機能をもった媒体発生部（１ａ）と、媒体発生部（１ａ）が発生した媒体を溜める浴槽（１ｏ）と、媒体発生部（１ａ）が発生した媒体を浴槽（１ｏ）に供給する媒体入口１（１ｄ）が取り付けられた浴槽蓋（１ｋ）で、媒体発生部（１ａ）で発生された媒体が浴槽（１ｏ）内で同じ経路で流れる事も目的とした浴槽蓋（１ｋ）と、浴槽上縁（１ｌ）の替わりに満杯水を排水する為の媒体入口１（１ｄ）の反対側の浴槽（１ｏ）の側面に取り付けられた浴槽水上面排水口（１ｎ）と、浴槽（１ｏ）の側面に取り付けられたゴミの排出口（１ｓ）と、浴槽（１ｏ）の底面に取り付けられた浴槽排水口（１ｗ）と、よどみ水（１ｊ）を排水する為に複数のよどみ水排水口（１ｘ）と、よどみ水排水口（１ｘ）を取り付ける為のよどみ水排出口板（１ｔ）を備えた風呂
【請求項２】
よどみ水排水口（１ｘ）において媒体発生部（１ａ）で発生された湯水の流れと媒体発生部（１ａ）で発生された水蒸気と乾燥空気の流れが逆方向になる様に媒体発生部（１ａ）に取り付けられた媒体出口２（１ｃ）とよどみ水板（１ｔ）より下の浴槽の側面に取り付けられた媒体入口２（１ｃ）が設けられている請求項１に記載の風呂。
【請求項３】
よどみ水排水口（１ｘ）は、小円形状の排水口が格子状に設けられている請求項１または２に記載の風呂。
【請求項４】
よどみ水排水口（１ｘ）は、スリット形状の排水口が格子状に設けられている請求項１または２に記載の風呂。
【請求項５】
よどみ水の分布に対応したよどみ排水口（１ｘ）の配置と形状のよどみ排水口（１ｘ）が設けられている請求項１または２に記載の風呂。
【請求項６】
媒体発生部（１ａ）が発生した媒体を浴槽（１ｏ）に供給する媒体入口１（１ｄ）が取り付けられた浴槽蓋（１ｋ）で、媒体発生部（１ａ）で発生された媒体が浴槽（１ｏ）内で同じ経路で流れる事も特徴とした浴槽蓋（１ｋ）。
【発明の詳細な説明】
【技術分野】
【０００１】
本発明は家庭や温泉旅館の風呂に関する。
【背景技術】
【０００２】
以下、図１６に基づいて従来の風呂について説明する。
図に示すように風呂は湯水を発生する媒体発生部（１ａ）と媒体発生部（１ａ）で発生された湯水が媒体発生部（１ａ）から流れ出る媒体発生部（１ａ）に取り付けられた媒体出口１（１ｂ）とこの流れを溜める浴槽（１ｏ）と浴槽（１ｏ）に溜まった浴槽水（１ｉ）を排水する浴槽排水口（１ｗ）からなる。
【０００３】
媒体発生部（１ａ）で発生された湯水は浴槽（１ｏ）に流れ込む。この流れを供給媒体１（１ｅ）と言い、新鮮な湯水である。
【０００４】
供給媒体１（１ｅ）が浴槽（１ｏ）に流れ込み、浴槽の上縁（１ｌ）に達すると浴槽水（１ｉ）は浴槽の上縁（１ｌ）から排水される。この状態を浴槽満杯状態と言う。
浴槽満杯状態の時、更に供給媒体１（１ｅ）が浴槽（１ｏ）に流れ込むと供給媒体１（１ｅ）と同量の浴槽水（１ｉ）が浴槽の上縁（１ｌ）から排水される。この状態の風呂をかけ流し風呂と言う。
【０００５】
かけ流し風呂では供給媒体１（１ｅ）は浴槽水（１ｉ）と混じりながら浴槽（１ｏ）内を流れる。この流れを供給媒体（１ｍ）と言う。
供給媒体（１ｍ）は２方向に別れ、１つは、そのまま浴槽の上縁（１ｌ）から排水される。この流れを供給媒体排出（１ｐ）と言う。もう１つは、浴槽の上縁（１ｌ）から排水されず浴槽（１ｏ）内に戻る流れとなる。この流れを供給媒体逆流（１ｒ）と言う。
【０００６】
供給媒体逆流（１ｒ）の一部は浴槽水（１ｉ）と混じり、浴槽水（１ｉ）となる。供給媒体逆流（１ｒ）の一部は浴槽水（１ｉ）と混じらず、供給媒体（１ｍ）と合流し、新たに供給媒体（１ｍ）として浴槽（１ｏ）内を流れる。浴槽水（１ｉ）が供給媒体逆流（１ｒ）と混じらなければ、浴槽水（１ｉ）によどみが発生する、このよどみをよどみ水（１ｊ）と言う。発生したよどみ水（１ｊ）は、供給媒体逆流（１ｒ）と温度や濃度に差があり、よどみ水（１ｊ）が一種の仕切りとなって供給媒体逆流（１ｒ）と浴槽水（１ｉ）との混じり合いを妨げる。
【先行技術文献】
【特許文献】
【０００７】
【特許文献１】特開２００３−２２０１０９号公報
【発明の概要】
【発明が解決しようとする課題】
【０００８】
上述したように、かけ流し風呂では、発生したよどみ水（１ｊ）が給媒体逆流（１ｒ）と浴槽水（１ｉ）の混じり合いを妨げるので、浴槽水（１ｉ）は効率良く新鮮にならない。更に、供給媒体発生部（１ａ）で発生された湯水が流れる経路で、カビや細菌が発生し目詰まりなどが発生し、浴槽水（１ｉ）の新鮮化を妨げるので、供給媒体発生部（１ａ）で発生された湯水が流れる経路でカビや細菌の発生を抑制する事は浴槽水（１ｉ）の効率のよい新鮮化と表裏一体をなすものである。
【０００９】
更に、浴槽（１ｏ）の清掃を、人が水や浴槽ブラシや浴槽洗剤や布などを用いて行うため非常に手間がかかる。浴槽乾燥では、自然乾燥のため天候の影響を受け易く浴槽（１ｏ）
が十分に乾燥されなければカビや細菌などが発生し、媒体発生部（１ａ）で発生された湯水の流れに影響を及ぼして浴槽水の新鮮化を妨げる。
【００１０】
本発明は従来の風呂が有している問題を解決しようとするものであり、よどみ水（１ｊ）を少なくし、浴槽（１ｏ）の壁面や排水口等のカビや細菌の発生を軽減し、浴槽水（１ｉ）を効率よく新鮮にし、更に、風呂の清掃の手間を軽減し、天候の影響が少ない風呂の乾燥を目的とするものである。
【課題を解決するための手段】
【００１１】
以下、図１に基づいて問題を解決するための手段について説明する。
上述の目的を達成する為に本発明は、媒体である湯水と水蒸気と乾燥空気を発生し、発生する媒体の種類を選択し、量を増減し、排出停止を制御する機能を持つ媒体発生部（１ａ）と、媒体発生部（１ａ）に取り付けられた媒体の出口である媒体出口１（１ｂ）と、媒体発生部（１ａ）が発生した媒体を溜める浴槽（１ｏ）と、媒体発生部（１ａ）が発生した媒体を浴槽（１ｏ）に供給する媒体入口１（１ｄ）が取り付けられ、かつ、媒体発生部（１ａ）で発生された媒体が浴槽（１ｏ）内で同じ経路で流れる事も目的とした浴槽蓋（１ｋ）と、浴槽上縁（１ｌ）の替わりに満杯水を排水する為の媒体入口１（１ｄ）の反対側の浴槽（１ｏ）の側面に取り付けられた浴槽水上面排水口（１ｎ）と、よどみ水（１ｊ）を排水する為のよどみ水排水口（１ｘ）と複数のよどみ水排水口（１ｘ）を取り付けたよどみ水排水口板（１ｔ）と、そのすぐ上の浴槽（１ｏ）側面に取り付けられたゴミの排出口（１ｓ）と、浴槽（１ｏ）の底面に取り付けられた浴槽排水口（１ｗ）を設ける。
【００１２】
供給媒体１（１ｅ）の量は入浴準備時と入浴時では異なる。入浴準備時では供給媒体１（１ｅ）の量はよどみ水排水口（１ｘ）から排水されるよどみ水排水の流れ（１ｙ）の総量より多く供給媒体１（１ｅ）はよどみ水排水口（１ｘ）から排水されながら浴槽（１ｏ）に溜まり、浴槽（１ｏ）は、かけ流し状態になり、よどみ水(１ｊ)が発生する。
【００１３】
入浴時では供給媒体１（１ｅ）の量はよどみ水排水の流れ（１ｙ）の総量よりわずかに多く、よどみ水排水の流れ（１ｙ）の総量より多い部分は浴槽水上面排水口（１ｎ）から排水される。よどみ水（１ｊ）はよどみ水排水口（１ｘ）から排水されるので、よどみ水（１ｊ）が減少し、容易に供給媒体逆流（１ｒ）が浴槽水（１ｉ）と混じり合い浴槽水（１ｉ）になる。また、排水されたよどみ水（１ｊ）の浴槽（１ｏ）の空間に供給媒体逆流（１ｒ）が入り、浴槽水（１ｉ）となるので浴槽水（１ｉ）は効率良く新鮮になる。
【００１４】
供給媒体１（１ｅ）が流れる経路で発生するカビや細菌が浴槽水（１ｉ）の新鮮化を妨げるので供給媒体１（１ｅ）が流れる経路でカビや細菌の発生を抑制する事による浴槽水（１ｉ）の新鮮化は、よどみ水（１ｊ）排水による浴槽水（１ｉ）の新鮮化と表裏一体をなすものである。
【００１５】
供給媒体１（１ｅ）が流れる経路で発生するカビや細菌は周囲温度が摂氏６５度を越えると死滅する。水蒸気の温度は1気圧の時は摂氏１００度であるのでカビや細菌を死滅するには十分であり、本発明は水蒸気を利用する。その後、水蒸気が流れる経路で、乾燥空気を流すと、その後のカビや細菌の発生は抑制される。
【００１６】
人が浴槽蓋（１ｋ）を浴槽（１ｏ）に被せて清掃を開始する。まず、媒体発生部（１ａ）が水蒸気を発生し発生された水蒸気は、媒体入口１（１ｄ）から浴槽（１ｏ）に供給される。浴槽（１ｏ）に入った水蒸気は浴槽蓋（１ｋ）をしてあるので、湯水と同じ経路で浴槽（１ｏ）内を流れ、媒体入口１（１ｄ）や、浴槽（１ｏ）の壁面や、風呂蓋（１ｋ）や、よどみ水排水口（１ｘ）や、やよどみ水排出板（１ｔ）や、浴槽水上面排水口（１ｎ）や、ゴミの排出口（１ｓ）や、浴槽排水口（１ｗ）等のカビや細菌を死滅する。その後、
残ったゴミを人が取り除き、洗い流す。その後、媒体発生部（１ａ）で発生された乾燥空気が浴槽（１ｏ）に媒体入口１（１ｄ）から供給されると、浴槽（１ｏ）には浴槽蓋（１ｋ）をしてあるので媒体発生部（１ａ）で発生された乾燥空気は水蒸気と同じ経路で浴槽内を流れ、媒体入口１（１ｄ）や、浴槽（１ｏ）の壁面や、風呂蓋（１ｋ）や、よどみ水排水口（１ｘ）や、よどみ水排出板（１ｔ）や、浴槽水上面排水口（１ｎ）や、ゴミの排出口（１ｓ）や、浴槽排水口（１ｗ）等を乾燥しカビや細菌の発生を抑える。浴槽（１ｏ）の乾燥が完了すれば風呂の清掃が終了する。
【００１７】
水蒸気洗浄後のゴミの取り除き、洗い流しは従来の風呂の清掃に比べて容易であるので媒体発生部（１ａ）が水蒸気と乾燥空気の供給・停止を自動的に行えば、風呂の清掃の手間が軽減される。乾燥空気が風呂の乾燥を行うので、自然乾燥に比べて、天候の影響を受けない。媒体発生部(１ａ)で発生された水蒸気と乾燥空気は浴槽（１ｏ）内を媒体発生部（１ａ）で発生された湯水と同じ経路で流れるので漏れなく、浴槽（１ｏ）のカビや細菌の発生を抑制する。
【図面の簡単な説明】
【００１８】
【図１】本発明を用いた実施の形態のかけ流し風呂の概略図
【図２】本発明の実施例の入浴時のかけ流し風呂の概略図
【図３】本発明の実施例の清掃乾燥時のかけ流し風呂の概略図
【図４】本発明の実施例の清掃乾燥時のかけ流し風呂の概略図
【図５】本発明の実施例の清掃乾燥時の従来の風呂の概略図
【図６】本発明の実施例１の排水口底板の概略図実施例
【図７】本発明の実施例２の排水口底面板の概略図
【図８】本発明の実施例３の排水口底板の概略図
【図９】本発明の実施例４の排水口底面板の概略図
【図１０】本発明の実施例５の排水口底面板の概略図
【図１１】本発明の実施例６の排水口底面板の概略図
【図１２】本発明の実施例７の排水口底面板の概略図
【図１３】本発明の実施例８の排水口底面板の概略図
【図１４】本発明の実施例９の排水口底面板の概略図
【図１５】本発明の実施例１０の排水口底面板の概略図
【図１６】従来の風呂の概略図
【発明を実施するための形態】
【００１９】
以下、本発明の実施例を図１から図１５に基づいて説明する。
図１は本発明を用いた実施の形態のかけ流し風呂の概略図である。図２は本発明を用いた入浴時の実施の形態のかけ流し風呂の概略図である。以下、図１に基づいて、本発明を実施するための形態について説明する。媒体である湯水と水蒸気と乾燥空気を発生し、発生する媒体の種類を選択し、量を増減し、排出停止を制御する機能を持つ媒体発生部（１ａ）と、媒体発生部（１ａ）に取り付けられた媒体の出口である媒体出口１（１ｂ）と、媒体発生部（１ａ）が発生した媒体を溜める浴槽（１ｏ）と、媒体発生部（１ａ）が発生した媒体を浴槽（１ｏ）に供給する媒体入口１（１ｄ）が取り付けられ、かつ、媒体発生部（１ａ）で発生された媒体が浴槽（１ｏ）内で同じ経路で流れる事も目的とした浴槽蓋（１ｋ）と、浴槽の上縁（１ｌ）の替わりに満杯水を排水する為の媒体入口１（１ｄ）の反対側の浴槽（１ｏ）の側面に取り付けられた浴槽水上面排水口（１ｎ）と、よどみ水（１ｊ）を排水する為のよどみ水排水口（１ｘ）と複数のよどみ水排水口（１ｘ）を取り付けたよどみ水排水口板（１ｔ）と、そのすぐ上の浴槽（１ｏ）側面に取り付けられたゴミの排出口（１ｓ）と、浴槽（１ｏ）の底面に取り付けられた浴槽排水口（１ｗ）を設ける。
【００２０】
供給媒体１（１ｅ）の量は入浴準備時と入浴時では異なる。入浴準備時では、供給媒体１（１ｅ）の量はよどみ水排水の流れ（１ｙ）の総量より多く供給媒体１（１ｅ）はよどみ水排水口（１ｘ）から排水されながら浴槽（１ｏ）に溜まり、浴槽（１ｏ）は、かけ流し状態になり、よどみ水(１ｊ)が発生する。
【００２１】
入浴時では、供給媒体１（１ｅ）の量はよどみ水排水の流れ（１ｙ）の総量よりわずかに多く、よどみ水排水の流れ（１ｙ）の総量より多い部分は浴槽水上面排水口（１ｎ）から排水される。よどみ水（１ｊ）はよどみ水排水口（１ｘ）から排水されるので、よどみ水（１ｊ）が減少し、容易に供給媒体逆流（１ｒ）が浴槽水（１ｉ）と混じり合い浴槽水（１ｉ）になる。また、排水されたよどみ水（１ｊ）の浴槽（１ｏ）の空間に供給媒体逆流（１ｒ）が入り、浴槽水（１ｉ）となるので浴槽水（１ｉ）は効率良く新鮮になる。
【００２２】
図３から図５は本発明の浴槽清掃の実施例である。
【実施例１】
【００２３】
図３に示すように人が浴槽蓋（１ｋ）を浴槽（１ｏ）に被せて清掃を開始する。媒体発生部（１ａ）で発生された水蒸気が媒体入口１（１ｄ）から浴槽（１ｏ）に供給されると水蒸気は浴槽（１ｏ）内で媒体発生部（１ａ）で発生された湯水と同じ経路で流れ、浴槽（１ｏ）やよどみ水排出口（１ｘ）やよどみ水排水口板（１ｔ）や上面浴槽排水口（１ｎ）や浴槽排水口（１ｗ）やゴミ排出口を流れ、浴槽（１ｏ）の壁面やよどみ水排出口（１ｘ）やよどみ水排水口板や上面浴槽排水口（１ｎ）や浴槽排水口（１ｗ）やゴミ排出口のカビや細菌を死滅し、その後、人が残ったゴミを取り除き、洗い流す。次に、媒体発生部（１ａ）が乾燥空気を発生し、発生した乾燥空気は水蒸気と同じ経路で流れ浴槽（１ｏ）内を流れ、よどみ水排出口（１ｘ）やよどみ水排水口板（１ｔ）や上面浴槽排水口（１ｎ）や浴槽排水口（１ｗ）やゴミ排出口（１ｓ）を流れ、浴槽（１ｏ）の壁面や浴槽蓋（１ｋ）や、よどみ水排出口（１ｘ）や、よどみ水排水口板（１ｔ）や、上面浴槽排水口（１ｎ）や、浴槽排水口（１ｗ）や、ゴミの排出口（１ｓ）を乾燥し，その後のカビや細菌の発生を抑制する。風呂の乾燥が終了すれば風呂の清掃が終了する。
【００２４】
媒体発生部（１ａ）で発生された水蒸気と乾燥空気は湯水と同じ経路で流れるので浴槽（１ｏ）の清掃乾燥は漏れなくなされる。
【００２５】
ゴミの洗い流しは従来の風呂の清掃に比べて容易であるので媒体発生部の水蒸気と乾燥空気の供給・停止を自動的に行えば、風呂の清掃・乾燥の手間が軽減される。風呂の乾燥は自然乾燥に比べて、天候の影響を受けないので乾燥不足でカビや細菌の発生が少なくなる。
【実施例２】
【００２６】
図４に示すように、よどみ水排水口（１ｘ）で水蒸気と乾燥空気の流れが図３と逆にすることでよどみ水排水口（１ｘ）の目詰まり解消する為に媒体発生部（１ａ）で発生された水蒸気と乾燥空気を媒体発生部（１ａ）に取り付けられた媒体出口２（１ｃ）とよどみ水排水口板（１ｔ）のすぐ下の浴槽（１ｏ）の側面に取り付けられたを媒体入口２（１ｆ）から浴槽（１ｏ）に供給する。
【実施例３】
【００２７】
図５に示すように本発明の浴槽清掃の従来の風呂への実施例である。
媒体発生部（１ａ）で発生された水蒸気と乾燥空気は、浴槽（１ｏ）内で湯水と同じ経路で流れる様にする為に浴槽（１ｏ）に浴槽蓋（１ｋ）が被せられ媒体入口１から浴槽（１ｏ）に供給される。
【実施例４】
【００２８】
図６はよどみ水（１ｊ）が媒体入口１（１ｄ）と浴槽水上面排水口（１ｎ）の間に偏らず分布する場合の実施例で、実施例４のよどみ水排水口（１ｘ）は７ｘ１０（縦方向に７個、横方向に１０個）の格子状の小円形よどみ水排水口（１ｘ）がよどみ水排水口板（１ｔ）に設けられている。これにより、媒体入口１（１ｄ）と浴槽水上面排水口（１ｎ）の間に偏らず分布するよどみ水（１ｊ）を効率良く排水する。
【実施例５】
【００２９】
図７はよどみ水（１ｊ）が媒体入口１（１ｄ）と浴槽水上面排水口（１ｎ）の間に偏らず分布する場合の実施例で、実施例５のよどみ水排水口（１ｘ）は７ｘ１０（縦方向に７個、横方向に１０個）の格子状のスリットよどみ水排水口（１ｘ）がよどみ水排水口板（１ｔ）に設けられている。これにより、媒体入口１（１ｄ）と浴槽水上面排水口（１ｎ）の間に偏らず分布するよどみ水（１ｊ）を効率良く排水する。
【実施例６】
【００３０】
風呂の形状や供給媒体１（１ｅ）の量や給湯位置よってよどみ水（１ｊ）の分布が偏る。図８はよどみ水（１ｊ）が浴槽水上面排水口（１ｎ）側に偏って分布する場合の実施例で、実施例６のよどみ水排水口（１ｘ）は７ｘ５（縦方向に７個、横方向に５個）の格子状の小円形よどみ水排水口（１ｘ）がよどみ水排水口板（１ｔ）に設けられている。これにより、浴槽水上面排水口（１ｎ）側に偏って分布するよどみ水（１ｊ）を効率良く排水する。
【実施例７】
【００３１】
図９はよどみ水（１ｊ）が媒体入口１（１ｄ）と浴槽水上面排水口（１ｎ）間の中央部に偏って分布する場合の実施例で、実施例７のよどみ水排水口（１ｘ）は７ｘ５（縦方向に７個、横方向に５個）の格子状の小円形よどみ水排水口（１ｘ）がよどみ水排水口板（１ｔ）に設けられている。これにより、媒体入口１（１ｄ）と浴槽水上面排水口（１ｎ）間の中央部に偏って分布するよどみ水（１ｊ）を効率良く排水する。
【実施例８】
【００３２】
図１０はよどみ水（１ｊ）が媒体入口１（１ｄ）側に偏って分布する場合の実施例で、実施例８のよどみ水排水口（１ｘ）は７ｘ５（縦方向に７個、横方向に５個）の格子状のスリット形よどみ水排水口（１ｘ）がよどみ水排水口板（１ｔ）に設けられている。これにより、媒体入口１（１ｄ）側に偏って分布するよどみ水（１ｊ）を効率良く排水する。
【実施例９】
【００３３】
図１１はよどみ水（１ｊ）が媒体入口１（１ｄ）側と浴槽水上面排水口（１ｎ）側に偏って分布する場合の実施例で、実施例９のよどみ水排水口（１ｘ）は２ｘ７ｘ３（縦方向に７個、横方向に３個の２列）の格子状の小円形よどみ水排水口（１ｘ）がよどみ水排水口板（１ｔ）に設けられている。これにより、媒体入口１（１ｄ）側と浴槽水上面排水口（１ｎ）側に偏って分布するよどみ水（１ｊ）を効率良く排水する。
【実施例１０】
【００３４】
図１２はよどみ水（１ｊ）が媒体入口１（１ｄ）から浴槽水上面排水口（１ｎ）の間に緩やかに偏って分布する場合の実施例で、実施例１０のよどみ水排水口（１ｘ）は媒体入口（１ｄ）側は７個浴槽水上面側（１ｎ）は１個の楔状の小円形よどみ水排水口（１ｘ）がよどみ水排水口板（１ｔ）に設けられている。これにより、媒体入口１（１ｄ）から浴槽水上面排水口（１ｎ）の間に緩やかに偏って分布するよどみ水（１ｊ）を効率良く排水する。
【実施例１１】
【００３５】
図１３はよどみ水（１ｊ）が媒体入口１（１ｄ）から浴槽水上面排水口（１ｎ）の間に緩やかに偏って分布する場合の実施例で、実施例１０のよどみ水排水口（１ｘ）は７個の楔形スリットがよどみ水排水口板（１ｔ）に設けられている。これにより、媒体入口１（１ｄ）から浴槽水上面排水口（１ｎ）の間に緩やかに偏って分布するよどみ水（１ｊ）を効率良く排水する。
【実施例１２】
【００３６】
図１４はよどみ水（１ｊ）が媒体入口１（１ｄ）と浴槽水上面排水口（１ｎ）間の中央部に偏って分布する場合の実施例で、実施例１２のよどみ水排水口（１ｘ）は縦方向が横方向よりはるかに長い３本のスリット形のよどみ水排水口（１ｘ）がよどみ水排水口板（１ｔ）に設けられている。これにより、媒体入口１（１ｄ）と浴槽水上面排水口（１ｎ）間の中央部に偏って分布するよどみ水（１ｊ）を効率良く排水する。
【実施例１３】
【００３７】
図１５はよどみ水（１ｊ）が媒体入口１（１ｄ）から浴槽水上面排水口（１ｎ）の間に緩やかに偏って分布する場合の実施例で、実施例１５のよどみ水排水口（１ｘ）は３個の長いスリットよどみ水排水口（１ｘ）と７ｘ７（縦７個、横７個）の小円形よどみ排水口（１ｘ）をよどみ水排水口板（１ｔ）に設けられている。これにより、媒体入口１（１ｄ）から浴槽水上面排水口（１ｎ）の間に緩やかに偏って分布するよどみ水（１ｊ）を効率良く排水する。
【産業上の利用可能性】
【００３８】
本発明は美容用かけ流し風呂や医療用風呂にも適用可能である。
【符号の説明】
【００３９】
１ａ  媒体発生部
１ｂ  媒体出口１
１ｃ  媒体出口２
１ｄ  媒体入口１
１ｅ  供給媒体１
１ｆ  媒体入口２
１ｇ  供給媒体２
１ｈ  浴槽水逆流
１ｉ  浴槽水
１ｊ  よどみ水
１ｋ  浴槽蓋
１ｌ  浴槽の上縁
１ｍ  供給媒体
１ｎ  浴槽水上面排水口
１ｏ  浴槽
１ｐ  供給媒体排出
１ｑ  浴槽水上面排水
１ｒ  供給媒体逆流
１ｓ  ゴミの排出口
１ｔ  よどみ水排水口板
１ｕ  排出ゴミ
１ｖ  浴槽排水
１ｗ  浴槽排水口
１ｘ  よどみ水排水口
１ｙ  よどみ水排水の流れ
【図１】
2019054950.tif 000003
【図２】
2019054950.tif 000004
【図３】
2019054950.tif 000005
【図４】
2019054950.tif 000006
【図５】
2019054950.tif 000007
【図６】
2019054950.tif 000008
【図７】
2019054950.tif 000009
【図８】
2019054950.tif 000010
【図９】
2019054950.tif 000011
【図１０】
2019054950.tif 000012
【図１１】
2019054950.tif 000013
【図１２】
2019054950.tif 000014
【図１３】
2019054950.tif 000015
【図１４】
2019054950.tif 000016
【図１５】
2019054950.tif 000017
【図１６】
2019054950.tif 000018